(57)【要約】【課題】回転リールの点光りを防止しつつ、回転リールに光を均一に照射することで、回転リールの図柄が見えやすいように回転リールを照明することができる遊技機を提供する。【解決手段】スロットマシンＳは、外周面に複数種類の図柄が配列されている回転リール２２ａと、この回転リール２２ａの所定範囲を遊技者に視認可能とする表示窓３１と、照明部材６０と、を備え、照明部材６０は、回転リール２２ａを照明する発光素子６４を備えた照明基板６１を備え、照明基板６１は、発光素子６４から出射される出射光束の中心の光Ｈが、回転リール２２ａと表示窓３１との間を通過するように配置されているので、回転リール２２ａの点光りを防止しつつ、回転リール２２ａに光を均一に照射することができ、回転リール２２ａの図柄が見えやすいように回転リール２２ａを照明することができる。【選択図】図９
2018130211.tif 000002
【特許請求の範囲】
【請求項１】
外周面に複数種類の図柄が配列されている回転リールと、この回転リールの所定範囲を遊技者に視認可能とする表示窓と、照明部材と、を備えた遊技機において、
前記照明部材は、前記回転リールを照明する発光素子を備えた照明基板を備え、
前記照明基板は、前記発光素子から出射される出射光束の中心の光が、前記回転リールと前記表示窓との間を通過するように配置されていることを特徴とする遊技機。
【請求項２】
前記発光素子から出射され、前記回転リールと前記表示窓との間を通過した光を、前記回転リールに向けて反射する反射部材を備えていることを特徴とする請求項１に記載の遊技機。
【請求項３】
前記照明部材は、前記発光素子から出射される光を拡散する拡散部材を備えていることを特徴とする請求項１または２に記載の遊技機。
【発明の詳細な説明】
【技術分野】
【０００１】
本発明は、回転リールを照明する照明部材を備えた遊技機に関する。
【背景技術】
【０００２】
従来から外周面に図柄が配列された複数の回転リールを備えた遊技機（回胴式遊技機、スロットマシン）が知られている。この種の遊技機は、メダルやパチンコ玉などの遊技媒体に対して一定の遊技価値を付与し、このような遊技媒体を獲得するための遊技を行うものである。また、この種の遊技機は、遊技者の回転開始操作を契機として、内部抽選を行うとともに複数の回転リールの回転を開始させ、遊技者の停止操作を契機として、内部抽選の結果に応じた態様で複数の回転リールを停止させる制御を行っている。そして、遊技の結果は、複数の回転リールが停止した状態における入賞判定ライン（有効ライン）上に表示された図柄組合せによって判定され、遊技の結果に応じてメダル等の払い出しなどが行われる。すなわち、有効ライン上に内部抽選で当選した役に対応する図柄組合せで図柄が停止すると役が入賞したことになり、メダルの払い出しなどが行われる。
【０００３】
このように、回転リールの図柄組合せと当選およびメダルの払い出しは対応しており、遊技者は回転リールの図柄に注目して遊技を行うため、回転リールを照明する照明手段は、遊技者の興を削がないようにするために重要な役割を果たす。
【０００４】
また、所望の図柄組合せを揃えるために、遊技者は、回転する回転リールの図柄を注視しながら、所定のタイミングで停止操作を行う所謂「目押し」を行うこともあり、この際に遊技者が図柄を見極めやすくするためにも、回転リールを照明する照明手段は重要となる。
【０００５】
回転リールを照明する照明手段を備えた遊技機として、例えば、特許文献１に記載のものが知られている。この遊技機は、遊技者が回転リールを視認するために回転リールの前方に設けられた表示窓の上方後側に、照明部材が設けられている。また、照明部材は、第２の発光素子群と、この第２の発光素子群の光を真下方向に向かうように反射する反射板とを備えている。そして、この反射板により反射された第２の発光素子群の光によって、回転リールが照明される。
【先行技術文献】
【特許文献】
【０００６】
【特許文献１】特開２０１３−１５３９０６
【発明の概要】
【発明が解決しようとする課題】
【０００７】
ところで、特許文献１に記載の遊技機では、回転リールの前端部が照明部材よりも前方に位置しているので、照明部材から真下方向に向かうように出射された第２の発光素子群の光は、回転リールに直接当たることとなる。すると、この光が直接当たる部分に点光りが発生したり、光が直接当たる部分が、遊技者が視認可能な回転リールの他の部分に比べて明るく照明されてしまったりして、回転リールの図柄が見えにくくなってしまうという問題がある。
【０００８】
本発明は、前記事情に鑑みてなされたもので、回転リールの点光りを防止しつつ、回転リールに光を均一に照射することができ、回転リールの図柄が見えやすいように回転リールを照明することができる遊技機を提供することを目的とする。
【課題を解決するための手段】
【０００９】
前記目的を達成するために、本発明の遊技機は、外周面に複数種類の図柄が配列されている回転リールと、この回転リールの所定範囲を遊技者に視認可能とする表示窓と、照明部材と、を備えた遊技機において、前記照明部材は、前記回転リールを照明する発光素子を備えた照明基板を備え、前記照明基板は、前記発光素子から出射される出射光束の中心の光が、前記回転リールと前記表示窓との間を通過するように配置されていることを特徴とする。
【００１０】
本発明においては、照明部材の発光素子から出射される出射光束の中心の光は、回転リールと表示窓との間を通過する。
したがって、発光素子から出射される光のうち、光度の高い、出射光束の中心の光が、回転リールおよび表示窓に直接照射されないので、回転リールや表示窓の一部に光が集中するのを防ぎ、回転リールや表示窓に点状の光（点光り）が発生するのを防ぐことができるとともに、回転リールに光を均一に照射することができる。
【００１１】
また、本発明の前記構成において、前記発光素子から出射され、前記回転リールと前記表示窓との間を通過した光を、前記回転リールに向けて反射する反射部材を備えていることが好ましい。
【００１２】
このような構成によれば、発光素子から出射され回転リールと表示窓との間を通過した光は、反射部材で反射され、回転リールを照明する。
したがって、回転リールの照明部材がある側とは逆側の、発光素子から出射された光が届きにくい部分にも、多くの光を届けることができ、回転リールの遊技者に視認可能な部分全体を明るく均一に照明することができる。
【００１３】
また、本発明の前記構成において、前記照明部材は、前記発光素子から出射される光を拡散する拡散部材を備えていることが好ましい。
【００１４】
このような構成によれば、発光素子から出射された光が拡散部材により拡散される。したがって、回転リールや表示窓の一部に光が集中するのを防ぎ、回転リールや表示窓に点光りが発生するのを防ぐことができるとともに、回転リールに光を均一に照射することができる。また、発光素子から出射される出射光束の中心の光や、この近傍の光は、回転リールと表示窓との間を通過するが、拡散部材によって、光を拡散することで、回転リールと表示窓との間を通過する光の割合と、拡散されて回転リールの照明部材がある側に当たる光等の割合とのバランスを取り、回転リール全体により均一に光を照射することができる。
【発明の効果】
【００１５】
本発明の遊技機によれば、回転リールの点光りを防止しつつ、回転リールに光を均一に照射することができ、回転リールの図柄が見えやすいように回転リールを照明することができる。
【図面の簡単な説明】
【００１６】
【図１】本発明の実施の形態に係る遊技機の一例を示すもので、その斜視図である。
【図２】同、前扉を開いた状態の斜視図である。
【図３】本発明の第１の実施の形態に係る遊技機を示すもので、照明部材の分解斜視図である。
【図４】同、保持部材本体を前側から見た斜視図である。
【図５】同、保持部材本体を下側から見た斜視図である。
【図６】同、保持部材カバーを後側から見た斜視図である。
【図７】同、保持部材カバーを前側から見た斜視図である。
【図８】同、照明部材を右側から見た断面図である。
【図９】同、発光素子から出射された光の進路を説明するための図である
【図１０】同、発光素子の位置を説明するための図である。
【図１１】本発明の第２の実施の形態に係る遊技機を示すもので、照明部材を後側から見た分解斜視図である。
【図１２】同、導光板を下側から見た斜視図である。
【図１３】同、照明部材の一部を拡大して上斜め前方から見た拡大断面図である。
【図１４】同、保持部材本体を下側から見た斜視図である。
【発明を実施するための形態】
【００１７】
以下、本発明の実施の形態について図面を参照して説明する。
（第１の実施の形態）
本実施の形態は本発明を遊技機の一つであるスロットマシンに適用した場合を例にとって説明するが、本発明はスロットマシンに限ることなく、その他の遊技機に適用してもよい。
なお、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１８】
まず、発明が適用されるスロットマシンＳの概略構成について説明する。
図１はスロットマシンＳを示す斜視図、図２は前扉を開いた状態のスロットマシンＳを示す斜視図である。
このスロットマシンＳは、筐体１を備えており、この筐体１は、底板、左右の側板、天板および背板を備え、当該筐体１の正面側に開口する正面開口部を有する箱形に形成されている。なお、底板の上面には、各部品に電力を供給するための電源装置を内蔵した電源ユニット４、メダルを貯留するとともにメダルを払い出す払い出し装置としてのホッパーユニット５等が設けられている。
【００１９】
また、筐体１の正面には、筐体１の正面開口部を開閉可能に閉塞する前扉３が設けられており、この前扉３は、前記開口上部を開閉可能に閉塞する上扉３０と、前記開口下部を開閉可能に閉塞する下扉４０とを備えている。
前記筐体１内には、交換ユニット２が着脱可能に設けられている。交換ユニット２は、種々の部品を設置あるいは固定するための支持体としての枠体２１と、この枠体２１に固定されたリールユニット２２および基板ユニット２４とから構成されている。ここで、リールユニット２２は、周囲に複数の図柄を表示した３個の回転リール２２ａと、回転リール２２ａを回転させるための駆動モータ（ステッピングモータ）を有している。また、基板ユニット２４は、ＣＰＵ、ＲＯＭ、ＲＡＭ、Ｉ／Ｏ等の電子部品を備えた基板を、基板ケースに収納したものである。そして、基板ユニット２４は、スロットマシンＳの遊技を制御するための遊技制御装置として機能する。
【００２０】
図１に示すように、上扉３０の下部には表示窓３１が設けられている。この表示窓３１は上側ほど後側に向かうように水平面に対して傾斜して設けられ、この表示窓３１の奥には、前記３個の回転リール２２ａが横一列に設けられている。各回転リール２２ａの外周面には複数種類の図柄が配列されており、回転リール２２ａが停止すると表示窓３１を通して１リール当たり３個の図柄（上段図柄、中段図柄および下段図柄）が表示される。スロットマシンＳでは、横３本と斜め２本とからなる計５本の入賞有効ラインが設定されている。
そして、３個の回転リール２２ａが停止したときに入賞有効ライン上に停止した図柄の組み合わせによって当選役が入賞したか否かが表示される。
また、上扉３０の上部には、表示窓３１より大きい表示窓３２がほぼ鉛直に設けられている。この表示窓３２は上扉３０に設けられた表示ユニット２０（図２参照）の表示面を見るために設けられたものであり、この表示ユニット２０では、その表示面に遊技機における演出用の画像が表示されるようになっている。
また、上扉３０の表示窓３２の上部には、報知や演出などを行うための照明装置３４，３５，３４が左右に隣接して設けられ、表示窓３２と表示窓３１との間には報知や演出などを行うための横長の照明装置３６が設けられている。
さらに、表示窓３１の左右両側には報知や演出などを行うための照明装置３７が設けられている。
また、上扉３０の左右両側部には、報知や演出などを行うための照明装置３８が合計４個設けられている。なお、図１においては、右側の照明装置３７は右側下の照明装置３８と重なって図示されていないが、実際は右側にも左側と同様の照明装置３７が設けられている。
【００２１】
また、上扉３０は、図２に示すように、筐体１内に設けられた交換ユニット２にヒンジ３９，３９を介して回動可能に連結されることで、筐体１の開口上部を開閉するようになっている。また、下扉４０は筐体１にヒンジ３９，３９を介して回動可能に連結されることで、筐体１の開口下部を開閉するようになっている。
【００２２】
なお、このスロットマシンＳは、分離型筐体タイプの構造を有するものであり、遊技店における機種の交換時に、上扉３０が回動自在に取り付けられた交換ユニット２を交換するようになっており、機種の交換時に筐体１、下扉４０および筐体１内の電源ユニット４やホッパーユニット５等は、遊技店の島設備に取り付けられたままで、交換されないようになっている。また、スロットマシンＳは、分離型筐体タイプに限られるものではなく、機種交換時にスロットマシン全体を交換するものであってもよい。この場合に、前扉３を上扉３０と下扉４０に分けない一体の構造としてもよい。また、上扉３０と下扉４０とに分ける場合に、上扉３０を、筐体１の側板にヒンジ３９を介して回動自在に取り付けてもよい。
【００２３】
下扉４０は筐体１の開口下部を開閉可能に閉塞するための扉である。下扉４０は、外枠に中枠を嵌め込んで構成されている。
下扉４０の一方の縦方向の側縁部に下扉側蝶番が設けられている。そして、この下扉側蝶番を、筐体１の一方の側板に設けられた筐体側蝶番と係合させることで、下扉４０は、筐体１の一方の側板に回動自在に取り付けられている。また、上扉３０の下端部には、下扉４０の前面より後方側で下扉４０の上端より下側に突出する係合部が設けられ、下扉４０が閉じた状態で、上扉３０を開放することができない構造になっている。
【００２４】
また、下扉４０の上部には、スロットマシンＳを操作するための操作部５０が設けられている。操作部５０には、クレジットされたメダルを払い出すための精算スイッチ５２、ゲームを開始させるためのスタートレバー５３、回転リール２２ａの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７には、演出等の選択用の十字キー、決定ボタン、キャンセルボタン等を有している。
【００２５】
また、下扉４０の下部には、スロットマシン内部よりメダルを排出するためのメダル払い出し口と、メダル払い出し口から排出されたメダルを溜めておくためのメダル受け皿４３とが設けられている。また、操作部５０とメダル受け皿４３との間には液晶表示パネル４５が取り付けられている。また、この液晶表示パネル４５の左右両側にはそれぞれ報知や演出などを行うための照明装置４６が設けられている。
【００２６】
次に、本発明に係る照明部材等について説明する。
図２に示すように、上扉３０の裏側で、表示窓３１の上側には、回転リール２２ａを照明するための左右に長尺な照明部材６０が設けられている。
また、図３に示すように、照明部材６０は、ＬＥＤ６４を備える照明基板６１と、この照明基板６１を保持する保持部材１２０と、を備えている。また、保持部材１２０は、保持部材本体６２と、保持部材カバー６３と、を備えている。保持部材本体６２および保持部材カバー６３は、合成樹脂により一体的に成形されており、光をほとんどあるいはまったく透過しないようになっている。なお、保持部材本体６２および／または保持部材カバー６３は、その内側の面が、光を反射するようになっていてもよい。
【００２７】
照明基板６１は、左右に長尺な帯板状となっている。また、照明基板６１の下面６１ａには、ＬＥＤ６４（発光素子）が、複数個、照明基板６１の長手方向に沿って一列に設けられている。具体的には、照明基板６１の長手方向左側の領域、中央部の領域および右側の領域に、それぞれ５個ずつＬＥＤ６４が所定間隔で設けられており、隣り合う各領域間のＬＥＤ６４の間隔は、各領域内におけるＬＥＤ６４の間隔よりも広くなっている。以下では、照明基板６１の長手方向左側の領域に設けられた５個のＬＥＤ６４をまとめて左側ＬＥＤ群６４Ａと呼び、中央部の領域に設けられた５個のＬＥＤ６４をまとめて中央部ＬＥＤ群６４Ｂと呼び、右側の領域に設けられた５個のＬＥＤ６４をまとめて右側ＬＥＤ群６４Ｃと呼ぶこととする。
左側ＬＥＤ群６４Ａは、左側の回転リール２２ａの上方に配置され、中央部ＬＥＤ群６４Ｂは、中央の回転リール２２ａの上方に配置され、右側ＬＥＤ群６４Ｃは、右側の回転リール２２ａの上方に配置されるようになっており、各ＬＥＤ群がそれぞれ対応する各回転リール２２ａを照明するようになっている。
【００２８】
また、照明基板６１の上面６１ｂの左右両端部には、照明基板６１に電気を供給するハーネスを接続するための接続部６５がそれぞれ一つずつ設けられている。また、照明基板６１の左右両端部であって、接続部６５よりも内側には、照明基板６１の後端部の一部を切り欠いて形成された基板切欠部６６がそれぞれ一つずつ設けられている。
なお、ＬＥＤ６４の配置や数については、特に限定されるものではない。例えば、ＬＥＤ６４は、照明基板６１上に、横一列や横二列といったように規則的に配置されていてもよいし、ランダムに配置されていてもよい。また、ＬＥＤ６４は本実施の形態においては、チップＬＥＤを用いているが、これに限られず、例えば、砲弾型ＬＥＤ等他の形状のＬＥＤやその他の発光素子であっても構わない。また、照明基板６１は、複数に分かれていてもよく、例えば、各回転リール２２ａを照らす一群のＬＥＤ６４毎に照明基板６１が分かれていてもよい。
【００２９】
保持部材本体６２は、図４および図５に示すように、左右に長尺な略長方形板状の上板７１と、この上板７１の後縁から下方に向けて、上板７１に対して略直角に延びる、左右に長尺な略長方形板状の背面板７２と、この背面板７２の下縁から前方に向けて上板７１との間隔を広げるようにして延びる、左右に長尺な略長方形板状の斜面板７３と、この斜面板７３の前縁から前方に向けて上板７１と略平行に延びる、左右に長尺な板状の下板７４と、を備えている。また、保持部材本体６２の右端部には右側面板７５が設けられており、保持部材本体６２の左端部には左側面板７６が設けられている。そして、保持部材本体６２は、上板７１と、背面板７２と、斜面板７３と、下板７４と、右側面板７５と、左側面板７６と、によって、上扉３０側が開口した左右に長尺な略箱形となっており、上板７１および下板７４が、後側ほど下側に向かうように、水平面（筐体１の底板）に対して傾斜した状態で上扉３０に設けられている。
【００３０】
上板７１の左右両端部には、上板７１の一部を上方に突出させるようにして、コ字の開口部が下側を向いた断面コ字状の、接続部挿入部８０が１つずつ設けられている。また、接続部挿入部８０の後端部から、背面板７２にかけて略矩形状に切り欠くようにして、接続部露出部８１が設けられている。そして、保持部材本体６２に保持された照明基板６１の接続部６５の上部が、接続部挿入部８０に挿入されるとともに、接続部６５の後端部が接続部露出部８１から露出されることで、接続部６５にハーネスを接続することが可能な状態となっている。
また、上板７１の左右両側の、接続部挿入部８０よりも内側の部分には、上板７１から背面板７２にかけて、これらの一部を切り欠くようにして、被係止部８２が１つずつ設けられている。
【００３１】
保持部材本体６２の内側には、斜面板７３から前方に突出するようにして、３つの基板支持部９０がそれぞれ左右に離間して設けられている。また、基板支持部９０は、照明基板６１の下面６１ａと当接して、照明基板６１を支持する基板支持面９０ａを上部に備えている（図８参照）。また、基板支持面９０ａは、丸みを帯びており、基板支持面９０ａの、照明基板６１の下面６１ａと当接する部分は、上板７１と略平行になっている。
また、保持部材本体６２の内側には、基板支持部９０の後端部から上板７１に向けて延びるようにして、２つの基板係止部９１が、左側または右側の基板支持部９０それぞれと一体的に設けられている。
【００３２】
また、保持部材本体６２の内側には、上板７１から下方に突出するようにして、２つの基板抑部９２が、左右に離間して設けられている。また、基板抑部９２は、照明基板６１の上面６１ｂと当接または近接して、照明基板６１の上方への動きを制限する基板抑面９２ａを下部に備えている（図８参照）。また、基板抑面９２ａの、照明基板６１の上面６１ｂと当接または近接する部分は、上板７１と略平行になっている。
また、保持部材本体６２の内側であって、左右方向において基板抑部９２と一致する位置には、斜面板７３から前方に突出するようにして、照明基板６１の下面６１ａ後方を支持する第二基板支持部９３が設けられている。
【００３３】
そして、照明基板６１は、下面６１ａが３つの基板支持部９０および２つの第二基板支持部９３と当接することによって、下面６１ａ側が支持されている（図８参照）。ここで、左側の基板支持部９０は左側ＬＥＤ群６４Ａの左右方向中間部において、中央部の基板支持部９０は中央部ＬＥＤ群６４Ｂの左右方向中間部において、右側の基板支持部９０は右側ＬＥＤ群６４Ｃの左右方向中間部において、それぞれ、照明基板６１の下面６１ａと当接している。
また、基板係止部９１が、基板切欠部６６に挿入されることで、照明基板６１の左右方向への動きが制限されるとともに、基板切欠部６６に基板係止部９１の前端部が当接することで、照明基板６１の後方への動きが制限されている（図８参照）。
以上のようにして、照明基板６１が、保持部材本体６２に保持されている。
【００３４】
下板７４には、左側ＬＥＤ群６４Ａ、中央部ＬＥＤ群６４Ｂおよび右側ＬＥＤ群６４Ｃに対向する部分それぞれを長方形状に切り欠くようにして、３つの光通過部９５が左右に離間して設けられている。
また、各光通過部９５の間の部分には、下板７４から上方に突出する遮光板９６が設けられている。そして、遮光板９６により、各光通過部９５に、対向するＬＥＤ群以外からの光が届かないよう遮光されており、各光通過部９５は、対向するＬＥＤ群からの光のみを通過させるようになっている。また、遮光板９６は、基板支持面９０ａよりも下方に位置しており、照明基板６１の下面６１ａに当接しないようになっている。
また、各光通過部９５の間の部分には、下板７４から背面板７２にかけて、これらの一部を切り欠くようにして、被係止部９７が設けられている。
【００３５】
保持部材本体６２の左右両側には、照明部材６０を上扉３０に取り付けるための取付部９８が１つずつ設けられている。また、この取付部９８には、ネジを挿通するためのネジ挿通孔が設けられている。そして、照明部材６０は、保持部材本体６２に照明基板６１が収容され、保持部材本体６２に後述する保持部材カバー６３が取り付けられた状態で、取付部９８のネジ挿通孔に挿通されたネジが、上扉３０の所定の場所にねじ込まれることで、上扉３０に取り付けられている（図２参照）。
【００３６】
保持部材カバー６３は、図６および図７に示すように、保持部材本体６２の開口した前側を覆うための保持部材カバー本体１００を備えている。また、保持部材カバー本体１００は、後側が開口した左右に長尺な箱形となっている。また、保持部材カバー本体１００の上部には、後方に突出するようにして、２つの係止爪１０１が左右に離間して設けられている。また、保持部材カバー本体１００の下部には、後方に突出するようにして、２つの係止爪１０２が左右に離間して設けられている。
また、保持部材カバー本体１００の下部には、下方に突出するようにして、３つの板状部１０３が左右に離間して設けられている。
【００３７】
保持部材カバー６３は、係止爪１０１および係止爪１０２がそれぞれ、保持部材本体６２の被係止部８２または被係止部９７に係止されることで、保持部材本体６２に固定されている。また、保持部材本体６２の開口した前側は、保持部材カバー本体１００に覆われた状態となっている。また、保持部材本体６２の下板７４の前端面と、保持部材カバー６３の板状部１０３の後側の面とは、当接した状態となっている。また、図８に示すように、３つの板状部１０３はそれぞれ、３つの光通過部９５に対向する位置に設けられており、１つの板状部１０３と１つの光通過部９５とで、長方形状の穴（光通過穴１０５）を形成し、各光通過穴１０５から、各ＬＥＤ群６４Ａ，６４Ｂ，６４Ｃからの光が通過可能な状態となっている。また、３つの光通過穴１０５以外には、保持部材カバー６３と保持部材本体６２との間には、ほとんど隙間は設けられておらず、ＬＥＤ６４からの光は、ほぼすべて光通過穴１０５から照明部材６０の外側に出射されるようになっている。
【００３８】
光通過穴１０５には、図示しない、ＬＥＤ６４から出射される光を拡散させるための拡散部材（拡散板）が設けられている。なお、拡散部材は、各光通過穴１０５にはめ込まれるようにして設けられていてもよく、また、光通過穴１０５を覆うようにして設けられていてもよい。また、保持部材本体６２や保持部材カバー６３と一体的に形成されていてもよい。また、光通過穴１０５と離れた部分に設けられていてもよい。つまり、拡散部材は、ＬＥＤ６４から出射された光を拡散させて、照明部材６０から出射させることができるようになっていればよい。
【００３９】
また、図２に示すように、上扉３０の裏側で、表示窓３１の下部には、左右に長尺な第二反射部材１１０が設けられている。また、第二反射部材１１０は、ＬＥＤ６４から出射されて第二反射部材１１０に向かってくるＬＥＤ６４の光を回転リール２２ａに向けて反射させるための、左右に長尺な長方形の平板状の第二反射面１１０ａを備え、この第二反射面１１０ａを回転リール２２ａおよび照明基板６１（ＬＥＤ６４）側に向けた状態となっている。
【００４０】
次に、ＬＥＤ６４から出射される光の進み方について図９を参照しながら説明する。
上述のように、照明基板６１は、下面６１ａが３つの基板支持部９０と当接することによって、下面６１ａ側が支持され、保持部材本体６２に保持されている。また、基板支持部９０の基板支持面９０ａの照明基板６１と当接する部分は、上板７１と略平行になっており、上板７１は、後側ほど下側に向かうように、水平面（筐体１の底板）に対して傾斜した状態となっている。すなわち、保持部材本体６２に保持された照明基板６１は、後側ほど下側に向かうように、水平面（筐体１の底板）に対して傾斜した状態となっている。そして、ＬＥＤ６４が設けられた照明基板６１の下面６１ａは、下斜め前方を向いた状態となっている。
【００４１】
このため、ＬＥＤ６４から出射される出射光束の中心の光Ｈ、すなわち、ＬＥＤ６４から出射される光の中で一番強い光である、ＬＥＤ６４（照明基板６１）から垂直に出射される光Ｈは、下斜め前方に向かう。そして、この光Ｈは、回転リール２２ａと表示窓３１との間を、回転リール２２ａおよび表示窓３１に当たることなく通過して第二反射部材１１０の第二反射面１１０ａに向かい、第二反射面１１０ａに当たる。そして、この第二反射面１１０ａに当たった光Ｈは、第二反射面１１０ａで反射され、回転リール２２ａに向かい、回転リール２２ａの表示窓３１を介して遊技者が視認可能な部分の下側部分に当たる。
なお、ＬＥＤ６４から出射される出射光束の中心の光Ｈは、光通過穴１０５に設けられた拡散部材を通過する際に、この拡散部材によって、屈折等して、進む方向が変わるようになっている場合も考えられるが、この場合であっても、屈折等した光Ｈが、回転リール２２ａと表示窓３１との間を、回転リール２２ａおよび表示窓３１に当たることなく通過して、第二反射部材１１０で反射され、回転リール２２ａの表示窓３１を介して遊技者が視認可能な部分の下側部分に当たるようになっていればよい。
【００４２】
また、ＬＥＤ６４から出射される出射光束の中心の光Ｈ近傍の、ＬＥＤ６４から出射される光の中で相対的に光度の高い光等の他の光も同様に、回転リール２２ａと表示窓３１との間を、回転リール２２ａおよび表示窓３１に当たることなく通過して第二反射面１１０ａに向かい、第二反射面１１０ａに当たる。そして、この第二反射面１１０ａに当たった光は、第二反射面１１０ａで反射され、回転リール２２ａに向かい、回転リール２２ａの表示窓３１を介して遊技者が視認可能な部分の下側部分に当たる。
【００４３】
次に、ＬＥＤ６４の具体的な位置について図１０を参照しながら説明する。
なお、前述のように、回転リール２２ａが停止すると表示窓３１を通して１リール当たり３個の図柄（上段図柄、中段図柄および下段図柄）が表示されるが、このとき、上段部分に表示される上段図柄の図柄範囲Ｘ、中段部分に表示される中段図柄の図柄範囲Ｙおよび下段部分に表示される下段図柄の図柄範囲Ｚを参考として図１０に示す。
遊技を行う、平均的な体格を有する遊技者の目の位置をアイポイントＥとすると、アイポイントＥから回転リール２２ａの表示窓３１を通して視認可能な範囲の上端に向かう遊技者の視線は図１０に示す直線Ｌのようになる。そして、この直線Ｌが回転リール２２ａとぶつかる点を点Ｍとすると、この点Ｍにおける回転リール２２ａの周面に対する法線は、線Ｎのようになる。そして、直線Ｌ（視線）と線Ｎ（法線）を軸とする線対称な位置に現れる仮想線（基準線）は、線Ｏのようになる。そして、照明基板６１に設けられたＬＥＤ６４は、この線Ｏよりも後方、すなわち、遊技者から離れた側に位置するようになっている。言い換えると、ＬＥＤ６４は、アイポイントＥから回転リール２２ａの表示窓３１を通して視認可能な範囲の上端（すなわち、上段図柄の一個上の図柄。いわゆる枠上図柄。）に向かう遊技者の視線を、回転リール２２ａの周面の接線Ｑで反射させたときの、この反射後の視線の軌跡を示す直線よりも後方に位置している。
【００４４】
このような構成の遊技機においては、照明部材６０のＬＥＤ６４から出射される光のうち、出射光束の中心の光Ｈは、回転リール２２ａと表示窓３１との間を通過する。
したがって、ＬＥＤ６４から出射される光のうち、相対的に光度の高い、出射光束の中心の光Ｈ等が回転リール２２ａおよび表示窓３１に直接照射されないので、回転リール２２ａや表示窓３１の一部に光が集中するのを防ぎ、回転リール２２ａや表示窓３１に点状の光（点光り）が発生するのを防ぐことができるとともに、回転リール２２ａに光を均一に照射することができる。
【００４５】
また、ＬＥＤ６４から出射され、回転リール２２ａと表示窓３１との間を通過した光を、回転リール２２ａに向けて反射する第二反射部材１１０を備えているので、回転リール２２ａの照明部材６０がある側とは逆側の、ＬＥＤ６４から出射された光等が届きにくい部分にも第二反射部材１１０によって光を届けることができ、回転リール２２ａの遊技者に視認可能な部分全体を明るく均一に照明することができる。
【００４６】
また、照明部材６０は、ＬＥＤ６４から出射される光を拡散する拡散部材を備えているので、ＬＥＤ６４から出射された光は、拡散部材により拡散される。したがって、回転リール２２ａや表示窓の一部に光が集中するのを防ぎ、回転リール２２ａや表示窓３１に点光りが発生するのを防ぐことができるとともに、回転リール２２ａに光を均一に照射することができる。
ＬＥＤ６４から出射される出射光束光の中心の光Ｈや、この近傍の光は、回転リール２２ａと表示窓３１との間を通過するが、この回転リール２２ａと表示窓３１との間を通過する光の量が多くなり過ぎてしまうと、回転リール２２ａの表示窓３１を通して遊技者に視認可能な部分の上側部分が暗くなってしまったり、下側部分が明るくなり過ぎてしまったりするおそれがある。これに対し、拡散部材によって、光を拡散することで、回転リール２２ａと表示窓３１との間を通過する光の割合と、拡散されて回転リール２２ａの照明部材６０がある側に当たる光等の割合とのバランスを取り、回転リール２２ａの視認可能な部分全体に均一に光を照射し、全体の明るさを調整することができる。
【００４７】
また、照明部材６０は、表示窓３１よりも上側に配置されており、アイポイントＥから、回転リール２２ａの表示窓３１を通して視認可能な範囲の上端に向かう、遊技者の視線Ｌに対して、この視線Ｌが回転リール２２ａに当たる部分の回転リール２２ａ周面の法線Ｎを軸とする線対称な位置に現れる仮想線Ｏよりも後側に、ＬＥＤ６４が配置されている。
アイポイントＥから回転リール２２ａに向かう視線を、この視線が当たる部分における回転リール２２ａ周面の法線を中心として折り返して現れる線上に、回転リール２２ａに向けて直接光を照射するＬＥＤ６４があると、ＬＥＤ６４からの光度の高い光が、回転リール２２ａの周面で反射して遊技者の目に届くことで、粒状に光るＬＥＤ６４が見えてしまい、回転リール２２ａの視認性が低下してしまうおそれがある。
本実施の形態の遊技機においては、仮想線Ｏよりも後側にＬＥＤ６４が配置されており、間に光を遮るものがないとした場合に、ＬＥＤ６４から出射されて回転リール２２ａに直接向かい、回転リール２２ａで反射されてアイポイントＥに向かう光は、回転リール２２ａの表示窓３１を通して遊技者が視認可能な範囲の上端よりも上側において回転リール２２ａに当たるようになっており、表示窓３１を通して遊技者が視認可能な範囲の上端よりも下側にはこの光が当たらないようになっている。このように、アイポイントＥから見たときに、ＬＥＤ６４から出射されて回転リール２２ａに直接向かい、回転リール２２ａで反射されてアイポイントＥに向かってくる光は、遊技者にとって視認できない位置で回転リール２２ａに当たり反射されるので、この光は前扉３等に遮られアイポイントＥまでは届かず、遊技者からは見えない。したがって、表示窓３１を通して見える範囲内において、回転リール２２ａに点光りが発生するのをより確実に防ぐことができる。
なお、実際には、本実施の形態の遊技機においては、この光は、ＬＥＤ６４から出射されて、回転リール２２ａに届く前に、保持部材本体６２に当たって反射等され、回転リール２２ａに少なくとも直接は届かないようになっており、遊技者が視認可能な範囲の上端よりも上側においても、この光が回転リール２２ａに当たらないようになっている。
【００４８】
なお、アイポイントＥから、回転リール２２ａの上段図柄の図柄範囲Ｘの上端に向かう、遊技者の視線に対して、この視線が回転リール２２ａに当たる部分の回転リール２２ａ周面の法線を軸とする線対称な位置に現れる仮想線よりも後側に、ＬＥＤ６４を配置することとしてもよい。このようにすることで、間に光を遮るものがないとした場合に、ＬＥＤ６４から出射されて回転リール２２ａに直接向かい、回転リール２２ａで反射されてアイポイントＥに向かってくる光は、回転リール２２ａの上段図柄の図柄範囲Ｘの上端よりも上側において、回転リール２２ａに当たり、上段図柄の図柄範囲Ｘの上端よりも下側には、この光が当たらないようにすることができる。上段図柄範囲Ｘの上端よりも上側の部分は、役の入賞等に関わる上段図柄範囲Ｘよりも上であり、遊技に大きく関わる上段図柄、中段図柄および下段図柄の範囲に点光りが発生するのを防ぐことができるので、このような構成としても、遊技における視認性を向上させることができる。
【００４９】
（第２の実施の形態）
本実施の形態のスロットマシンＳが、第１の実施の形態のスロットマシンＳと主に異なる点は、照明部材の構成であるので、以下では、この点について説明し、第１の実施の形態と同様の構成については、同一符号を付してその説明を省略ないし簡略化する。
【００５０】
照明部材２６０は、第１の実施の形態における照明部材６０同様、上扉３０の裏側で、表示窓３１の上側に設けられている（図２参照）。
照明部材２６０は、図１１に示すように、左右に長尺な部材であって、ＬＥＤ２６４（発光素子）を備える照明基板２６１（図１３参照）と、保持部材本体２６２と、光透過性を有する３つの導光板４００（導光体）と、を備えている。また、３つの導光板４００は全て同一形状となっている。
【００５１】
導光板４００は、無色透明な合成樹脂で形成されている。なお、導光板４００は、有色であってもよく、内部に光を入射させ、光を導くことができるようになっていればよい。
導光板４００は、図１２に示すように、長方形の板状の平板部４０１と、平板部４０１の一方の短手側が、平板部４０１の上面４０１ｂ側に向けて湾曲しつつ延長するようにして、平板部４０１と一体的に形成された湾曲部４０２と、を備えている。すなわち、湾曲部４０２は、平板部４０１の下面４０１ａに連続する面が凸面４０２ａとなっており、平板部４０１の上面４０１ｂに連続する面が、凹面４０２ｂとなるように湾曲している。また、湾曲部４０２の、平板部４０１と接合された端面と逆側の端面（上端面４０２ｃ）は、平板部４０１の下面４０１ａと略平行になっている。
【００５２】
平板部４０１の上面４０１ｂは、図１３に示すように、平板部４０１の下面４０１ａに対して、わずかに傾斜している。つまり、平板部４０１は、湾曲部４０２側の端部から、逆側の端部に向かうにつれて、平板部４０１の厚みが薄くなるように形成されている。また、平板部４０１の厚みは、湾曲部４０２の厚さよりも薄くなっている。また、導光板４００は、「平板部４０１の湾曲部４０２と逆側の端部における厚みＴ１＜平板部４０１と湾曲部４０２との境界部分における厚みＴ２＜湾曲部４０２の上端面４０２ｃにおける厚みＴ３」の関係を満たすように形成されている。
【００５３】
湾曲部４０２には、上端部において、凸面４０２ａから略垂直に右または左方向（外側）に向けて突出するようにして、第一導光板係止部４０３が設けられている。第一導光板係止部４０３は、鉤状の弾性体であり、湾曲部４０２の上端の近傍において、凸面４０２ａから略垂直に右または左方向に突出する平板状の第一突出部４０３ａと、第一突出部４０３ａの下面であって湾曲部４０２と逆側の端部から、略垂直に突出する係止片４０３ｂと、を備えている。また、係止片４０３ｂには、その先端部の所定位置から湾曲部４０２と離れる方向に向かって切り欠かれた傾斜部４０３ｃが設けられている。また、第一導光板係止部４０３は、第一突出部４０３ａの上面であって、湾曲部４０２と逆側の端部から、略垂直に突出する押圧片４０３ｄを備えている。
【００５４】
平板部４０１の湾曲部４０２と逆側の端部には、第二導光板係止部４０４が設けられている。第二導光板係止部４０４は、平板部４０１の湾曲部４０２と逆側の端部から、上方に突出した第二突出部４０４ａと、第二突出部４０４ａの上端部から湾曲部４０２と離れる方向に向けて平板部４０１の下面４０１ａと略平行に延びる延出部４０４ｂと、を備えている。また、第二突出部４０４ａには、その厚さ方向（平板部４０１の長手方向に略平行な方向）に貫通した挿入穴４０４ｃが設けられている。
【００５５】
保持部材本体２６２は、図１４に示すように、左右に長尺な形状となっている。また、保持部材本体２６２は、合成樹脂により一体的に成形されており、光をほとんどあるいはまったく透過しないようになっている。また、保持部材本体２６２には、左右に離間して、３つの導光板取付部４１０が設けられている。また、３つの導光板取付部４１０は、全て同一形状となっているとともに、左側の導光板取付部４１０は、中央および右側の導光板取付部４１０と左右方向逆向きに設けられている。
【００５６】
導光板取付部４１０は、図１３および図１４に示すように、平板部４０１の下面４０１ａを露出させつつ平板部４０１を収める窪み部４１１と、湾曲部４０２を引き入れて湾曲部４０２の上端面４０２ｃを保持部材本体２６２の上面２６２ｂ側に露出させる貫通部４１２と、を備えている。
具体的には、窪み部４１１は、保持部材本体２６２の下面２６２ａ側が開口するようにして、保持部材本体２６２ｂの上面２６２ｂ側に向けて窪んでいる。また、窪み部４１１の窪みの底である底面４１３は、導光板４００を導光板取付部４１０に取り付けた状態において、導光板４００の平板部４０１の上面４０１ｂと、互いの略全面が当接するようになっている。また、底面４１３は、光を反射する反射面になっている。
また、底面４１３は、導光板４００を取り付けた状態において、平板部４０１の下面４０１ａが、保持部材本体２６２の最下面２６２ａと略面一になるように、平板部４０１の上面４０１ｂに沿うように最下面２６２ａに対して傾斜している。言い換えると、窪み部４１１は、平板部４０１の厚さとほぼ一致するような深さに形成されている。
【００５７】
また、導光板取付部４１０は、凹曲面４１５ａを備える凹部４１５を備えている。また、凹曲面４１５ａは、光を反射する反射面になっている。また、凹曲面４１５ａは、導光板４００を導光板取付部４１０に取り付けた状態において、導光板４００の湾曲部４０２の凸面４０２ａの略全面と当接するようになっている。また、凹部４１５の上端部には、上方に突出するようにして、第一導光板係止部４０３を係止するための突出部である、第一被係止部４１６が設けられている。
【００５８】
窪み部４１１の、凹部４１５と逆側の端部は、第二導光板係止部４０４が収まるように、底面４１３よりも深く窪んだ深間４１７となっている。また、底面４１３の、凹部４１５と逆側の端部には、底面４１３と略平行に深間４１７に向けて突出するようにして、第二導光板係止部４０４を係止するための突出部である、第二被係止部４１８が設けられている。
【００５９】
ここで、導光板４００を、保持部材本体２６２の導光板取付部４１０に取り付ける取付方法について図１３を参照して説明する。
導光板取付部４１０に導光板４００を取り付けるには、まず湾曲部４０２の後端を貫通部４１２に入れるとともに、平板部４０１を窪み部４１１に収めて、導光板取付部４１０の底面４１３に平板部４０１の上面４０１ａを当接させる。そして、平板部４０１を、底面４１３に沿って、湾曲部４０２と凹部４１５とが近づく方向（図１３において、左方向）に摺動させると、第一導光板係止部４０３の係止片４０３ｂの傾斜部４０３ｃが、第一被係止部４１６に衝突する。この状態から、さらに、平板部４０１を、底面４１３に沿って、湾曲部４０２と凹部４１５とが近づく方向に摺動させると、第一導光板係止部４０３の第一突出部４０３ａが変形しながら、係止片４０３ｂの先端が、第一被係止部４１６の後端に乗り上げる。この状態から、さらに、平板部４０１を、底面４１３に沿って、湾曲部４０２と凹部４１５とが近づく方向に摺動させると、第一導光板係止部４０３の第一突出部４０３ａの形が元に戻り、係止片４０３ｂが第一被係止部４１６に係止される。そして、導光板４００の湾曲部４０２の凸面４０２ａの略全面が、凹部４１５の凹曲面４１５ａの略全面と当接する。また、このときに、第二導光板係止部４０４の挿入穴４０４ｃに、第二被係止部４１８が挿入され、第二導光板係止部４０４が第二被係止部４１８に係止された状態となっている。
以上により導光板４００が導光板取付部４１０に取り付けられる。
【００６０】
照明基板２６１は、左右に長尺な一枚の帯板状となっている（図１３参照）。なお、照明基板２６１は、複数に分かれていてもよい。また、照明基板２６１の下面２６１ａには、ＬＥＤ２６４（発光素子）が、複数個設けられている。
照明基板２６１は、導光板４００よりも上側（保持部材本体２６２の上面２６２ｂ側）において、保持部材本体２６２に備えられた照明基板保持部２６２ｃに収容され、保持部材本体２６２によって保持されている（図１１参照）。また、保持部材本体２６２の上面２６２ｂ側に、この照明基板保持部２６２ｃに収容された照明基板２６１を挟んだ状態で図示しないカバー部材が取り付けられることで、照明基板２６１が、保持部材本体２６２から外れないようになっている。すなわち、このカバー部材と保持部材本体２６２とで、照明基板２６１を保持する１つの保持部材となっている。
【００６１】
照明基板に設けられたＬＥＤ２６４は、図１３に示すように、保持部材本体２６２に取り付けられた３つの導光板４００の、湾曲部４０２の上端面４０２ｃそれぞれに対向するようにして、それぞれの上端面４０２ｃに対して３個ずつ導光板４００の短手方向に沿って配置されている（図１１参照）。また、それぞれの上端面４０２ｃに対向したＬＥＤ２６４は、それぞれの上端面４０２ｃと近接または当接した状態となっている。そして、ＬＥＤ２６４から出射される出射光束の中心の光は、上端面４０２ｃに対して略垂直に入射するようになっている。また、上端面４０２ｃに対して垂直に入射したＬＥＤ２６４からの光は、導光板４００等に導かれ、平板部４０１の下面４０１ａから、下面４０１ａの短手方向に対して略垂直に出射されるようになっている。
【００６２】
照明部材２６０は、導光板４００の下面４０１ａが下斜め前方を向くようにして、上扉３０に設けられている。そして、下面４０１ａから、下面４０１ａの短手方向に対して略垂直に出射された光（下面４０１ａから出射される出射光束の中心の光を含む）は、第一の実施の形態におけるＬＥＤ６４から出射される出射光束の中心の光Ｈと同様に、回転リール２２ａと表示窓３１との間を、回転リール２２ａおよび表示窓３１に当たることなく通過するようになっている（図９参照）。そして、この回転リール２２ａおよび表示窓３１に当たることなく通過した光は、第二反射部材１１０の第二反射面１１０ａに向かい、第二反射面１１０ａに当たり、第二反射面１１０ａで反射され、回転リール２２ａに向かい、回転リール２２ａの表示窓３１を介して遊技者が視認可能な部分の下側部分に当たるようになっている（図９参照）。
【００６３】
このような構成の遊技機においては、ＬＥＤ２６４から出射された光は、導光板４００の上端面４０２ｃから、導光板４００の内部に入射する。また、導光板４００の上端面４００３ｃから入射した光の一部は、湾曲部４０２で反射され、平板部４０１に伝播する。そして、平板部４０１に伝播した光は、平板部４０１の下面４０１ａから、照明部材２６０の外側に出射される。
また、湾曲部４０２で反射されずに、湾曲部４０２から導光板４００の外に出た光は、凹部４１５の凹曲面４１５ａで反射され、湾曲部４０２に戻る。また、平板部４０１の上面４０１ｂから導光板４００の外に出た光は、窪み部４１１の底面４１３で反射され、平板部４０１に戻る。よって、ＬＥＤ２６４から出射された光の多くが、下面４０１ａから出射されるように、導かれる。したがって、照明部材２６０（導光板４００）から回転リール２２ａの方向に向かって、多くの光を照射することができ、回転リール２２ａを明るく照らすことができる。
また、平板部４０１は、湾曲部４０２よりも厚さが薄くなっているとともに、湾曲部４０２側の端部から、逆側の端部に向かうにつれて、厚さが薄くなるように形成されている。したがって、導光板４００の上端面４０２ｃから入射した光は、平板部４０１全体に伝播するので、平板部４０１全体を均一に光らせることができる。
【００６４】
また、下面４０１ａから、下面４０１ａの短手方向に対して略垂直に出射される光には、ＬＥＤ２６４から出射される出射光束の中心の光が含まれる。そして、この光が、回転リール２２ａと表示窓３１との間を、回転リール２２ａおよび表示窓３１に当たることなく通過するようになっているので、ＬＥＤ２６４から出射される光のうち、相対的に光度の高い、出射光束の中心の光やこの近傍の光等が回転リール２２ａおよび表示窓３１に直接照射されない。したがって、回転リール２２ａや表示窓３１の一部に光が集中するのを防ぎ、回転リール２２ａや表示窓３１に点状の光（点光り）が発生するのを防ぐことができるとともに、回転リール２２ａに光を均一に照射することができる。
【００６５】
また、ＬＥＤ２６４から出射され、回転リール２２ａと表示窓３１との間を通過した光を、回転リール２２ａに向けて反射する第二反射部材１１０を備えているので、回転リール２２ａの照明部材２６０がある側とは逆側の、ＬＥＤ２６４から出射された光等が届きにくい部分にも第二反射部材１１０によって光を届けることができ、回転リール２２ａの遊技者に視認可能な部分全体を明るく均一に照明することができる。
【００６６】
また、ＬＥＤ２６４から出射された光は、導光板４００に入射し、湾曲部４０２、平板部４０１、凹曲面４１５ａおよび底面４１３等で反射し、拡散しながら、下面４０１ａに向かい、下面４０１ａから、照明部材２６０の外側に出射される。つまり、導光板４００と、凹曲面４１５ａと、底面４１３とで一つの拡散部材となっており、ＬＥＤ２６４から出射される光を拡散させて、照明部材２６０の外に出すことができるようになっている。したがって、第１の実施の形態における拡散部材による作用効果と同様の作用効果を得ることができ、回転リール２２ａや表示窓３１の一部に光が集中するのを防ぎ、回転リール２２ａや表示窓３１に点光りが発生するのを防ぐことができるとともに、回転リール２２ａに光を均一に照射することができる。また、ＬＥＤ２６４から出射される出射光束の中心の光や、この近傍の光は、回転リール２２ａと表示窓３１との間を通過するが、導光板４００と凹曲面４１５ａと底面４１３とよって、光を拡散することで、回転リール２２ａと表示窓３１との間を通過する光の割合と、拡散されて回転リール２２ａの照明部材２６０がある側に当たる光等の割合とのバランスを取り、回転リール２２ａ全体により均一に光を照射することができる。
なお、平板部４０１の下面４０１ａや上面４０１ｂに凹凸を形成したり、プリズム加工を施したりしてもよい。このようにすることで、平板部４０１で反射される光が多様な方向に反射されるようになったり、平板部４０１から出射される光が多様な方向に出射されるようになったりするので、光をより拡散させて放射することができる。
【符号の説明】
【００６７】
２２ａ  回転リール
３１  表示窓
６０，２６０  照明部材
６１，２６１  照明基板
６４，２６４  ＬＥＤ（発光素子）
１１０  第二反射部材
Ｈ  光
【図１】
2018130211.tif 000003
【図２】
2018130211.tif 000004
【図３】
2018130211.tif 000005
【図４】
2018130211.tif 000006
【図５】
2018130211.tif 000007
【図６】
2018130211.tif 000008
【図７】
2018130211.tif 000009
【図８】
2018130211.tif 000010
【図９】
2018130211.tif 000011
【図１０】
2018130211.tif 000012
【図１１】
2018130211.tif 000013
【図１２】
2018130211.tif 000014
【図１３】
2018130211.tif 000015
【図１４】
2018130211.tif 000016